(57)【要約】 【課題】  アナログ電話回線を使用していたが、前記アナログ電話回線を使用停止した後、残された未利用の宅内のメタル回線を用いて、簡単な工事にて、高速のデータ通信ができる宅内通信システムを得る。                【解決手段】  外部とは遮断した独立したメタル回線８と、前記メタル回線８が、宅内の各部屋のモジュラージャック１００，２００，３００を介して分岐されており、各分岐されたメタル回線には、ｘＤＳＬモデム２ａ，２ｂ，２ｃが配置され、前記ｘＤＳＬモデムには、送信側機器、あるいは受信側機器のいずれかが配置されており、前記独立したメタル回線８を介して、デジタル通信が行われ、前記独立したメタル回線は、アナログ電話回線にて使用されていたメタル回線であって、前記アナログ電話回線１１から分断された宅内通信システムである。【選択図】  図２
2006340055.tif 000002
【特許請求の範囲】
【請求項１】
外部とは遮断された独立したメタル回線と、前記メタル回線が、宅内の各部屋のモジュラージャックを介して分岐され、各分岐されたメタル回線には、アナログモデムが配置され、前記アナログモデムには、送信側機器、受信側機器、あるいは送受信側機器のいずれかが配置され、前記メタル回線を介してアナログ通信が行われる宅内通信システムであって、前記メタル回線は、宅外のアナログ電話回線と接続されていたメタル回線であって、前記アナログ電話回線から分断された回線であることを特徴とする宅内通信システム。 
【請求項２】
前記送信側機器は、カメラなどの画像を発信する機器であり、前記受信側機器は、画像を受信するモニタであることを特徴とする請求項１に記載の宅内通信システム。
【請求項３】
外部とは遮断された独立したメタル回線と、前記メタル回線が、宅内の各部屋のモジュラージャックを介して分岐され、各分岐されたメタル回線には、ｘＤＳＬモデムが配置され、前記ｘＤＳＬモデムには、送信側機器、受信側機器、あるいは送受信側機器のいずれかが配置され、前記メタル回線を介して、デジタル通信が行われる宅内通信システムであって、前記独立したメタル回線は、アナログ電話回線と接続されていたメタル回線であって、前記アナログ電話回線から分断された回線であることを特徴とする宅内通信システム。 
【請求項４】
前記送信側機器は、カメラなどの画像を発信する機器であり、前記受信側機器は、画像を受信するモニタであることを特徴とする請求項３に記載の宅内通信システム。
【請求項５】
前記宅内通信システムは、一戸建ての建物の中で利用されることを特徴とする請求項１ないし４のいずれか１項に記載の宅内通信システム。 
【発明の詳細な説明】
【技術分野】
【０００１】
本発明は、アナログ電話回線を使用していたが、前記アナログ電話回線を使用停止した場合、残された宅内のメタル線を活用する宅内通信システムに関する。   
【背景技術】
【０００２】
図３は、従来のアナログ電話回線の使用例の説明図である。図３に示すように、一戸建て建物２２にはアナログ電話回線１２が引き込まれ、保安器３０を介して、メタル回線８にて、各部屋のモジュラージャック１００，２００，３００に接続されている。ここで、部屋Ａには、電話機７ａがモジュラージャック１００からメタル回線にて接続され、同じく、部屋Ｂには、電話機７ｂがモジュラージャック２００からメタル回線にて接続され、更に、部屋Ｃには、電話機７ｃがモジュラージャック３００からメタル回線にて接続されている。
【０００３】
ここで、メタル回線８には、音声アナログ信号が伝送されており、また、電話局からの、直流電圧が印加された状態である。
【０００４】
特許文献１には、他の例として、電話回線を使用するｘＤＳＬ通信について記載されている。このように、近年は、電話回線を、データ通信として使用する事ができる。      
【０００５】
【特許文献１】特開２００２−２５２６７０号公報
【発明の開示】
【発明が解決しようとする課題】
【０００６】
ここで、近年、ＩＰ網を活用したＶｏＩＰシステムを用いて、電話通信ができるようになった。そのため、図３に示すアナログ電話回線１２を解約する傾向にあり、このため、一戸建て建物の中にて、未使用のメタル回線が残っていることが多い。
【０００７】
本発明の課題は、アナログ電話回線を使用していたが、前記アナログ電話回線の使用を停止した後、残された未利用の宅内のメタル回線の有効活用を図り、簡単な工事で高速のデータ通信を（アナログ方式、あるいはデジタル方式）できるようにする宅内通信システムを提供することである。  
【課題を解決するための手段】
【０００８】
本発明は、アナログ電話回線を使用していたが、前記アナログ電話回線を使用停止した場合、未利用の宅内のメタル回線を、システムの一部として活用する宅内通信システムであり、その構成は、外部とは遮断された独立したメタル回線と、前記メタル回線が、宅内の各部屋のモジュラージャックを介して分岐されており、各分岐されたメタル回線には、アナログモデムが配置され、前記アナログモデムには、送信側機器、受信側機器、あるいは送受信側機器のいずれかが配置されており、前記独立したメタル回線を介して、アナログ通信が行われ、前記独立したメタル回線は、宅外のアナログ電話回線と接続されていたメタル回線であって、前記アナログ電話回線から分断された回線の宅内通信システムである。 
【０００９】
また、本発明は、前記送信側機器は、カメラなどの画像を発信する機器であり、前記受信側機器は、画像を受信するモニタである宅内通信システムである。
【００１０】
また、本発明は、外部とは遮断された独立したメタル回線と、前記メタル回線が、宅内の各部屋のモジュラージャックを介して分岐されており、各分岐されたメタル回線には、ｘＤＳＬモデムが配置され、前記ｘＤＳＬモデムには、送信側機器、受信側機器、あるいは送受信側機器のいずれかが配置されており、前記独立したメタル回線を介して、デジタル通信が行われ、前記独立したメタル回線は、宅外のアナログ電話回線と接続されていたメタル回線であって、前記アナログ電話回線から分断された回線の宅内通信システムである。 
【００１１】
また、本発明は、前記送信側機器がカメラなどの画像を発信する機器であり、前記受信側機器は、画像を受信するモニタである宅内通信システムである。
【００１２】
また、本発明は、前記宅内通信システムが一戸建ての建物の中で利用されることを前提としている。
【発明の効果】
【００１３】
本発明によれば、アナログ電話回線を使用していたが、前記アナログ電話回線の使用停止後に残された未利用の宅内のメタル回線の有効活用を図ることができ、簡単な工事にて、高速のデータ通信（アナログ方式、あるいはデジタル方式）をできるようにする宅内通信システムを提供できる。  
【発明を実施するための最良の形態】
【００１４】
宅外のアナログ電話回線を使用していたが、ＩＰ電話に切り換えて前記アナログ電話回線を使用停止した場合、宅内のメタル回線は不使用のまま残される。本発明は、残された未利用の状態の宅内のメタル回線を、システムの一部として活用する宅内通信システムに関する。   
【００１５】
本発明の宅内通信システムは、外部とは遮断された独立したメタル回線と、前記メタル回線が、宅内の各部屋のモジュラージャックを介して分岐されており、各分岐されたメタル回線には、アナログモデムが配置され、前記アナログモデムには、送信側機器、受信側機器、あるいは送受信側機器のいずれかが配置されており、前記独立したメタル回線を介して、アナログ通信が行われ、前記独立したメタル回線は、宅外のアナログ電話回線と接続されていたメタル回線であって、前記アナログ電話回線から分断された回線の宅内通信システムである。 
【００１６】
ここで、前記送信側機器は、カメラなどの画像を発信する機器であり、前記受信側機は、画像を受信するモニタであるが、これに限られるものではない。
【００１７】
また、本発明の宅内通信システムの他の例は、外部とは遮断された独立したメタル回線と、前記メタル回線が、宅内の各部屋のモジュラージャックを介して分岐されており、各分岐されたメタル回線には、ｘＤＳＬモデムが配置され、前記ｘＤＳＬモデムには、送信側機器、受信側機器、あるいは送受信側機器のいずれかが配置されており、前記独立したメタル回線を介して、デジタル通信が行われ、前記独立したメタル回線は、宅外のアナログ電話回線と接続されていたメタル回線であって、前記アナログ電話回線から分断された回線の宅内通信システムである。 
【００１８】
ここで、前記送信側機器は、カメラなどの画像を発信する機器であり、前記受信側機器は、画像を受信するモニタであるが、これに限られるものではない。また、パソコン等は受信モニタとしても情報発信機としても用いることができるので、送受信側機器に該当する。なお、前記宅内通信システムは、一戸建ての建物の中で利用されることを特徴としている。                
【００１９】
（実施の形態１）
図１は、本発明の実施の形態１による宅内通信システム（アナログ通信の場合）の説明図である。図１にて、一戸建て建物２０内に、アナログ電話回線１０から遮断された、メタル回線８がある。前記メタル回線８は、部屋Ａのモジュラージャック１００、部屋Ｂのモジュラージャック２００、部屋Ｃのモジュラージャック３００に接続されている。
【００２０】
ここで、部屋Ａでは、モジュラージャック１００からメタル回線８にてアナログモデム１ａに接続され、さらにパソコン９に接続されている。また、部屋Ｂでは、モジュラージャック２００からメタル回線８にてアナログモデム１ｂに接続され、さらにカメラ４に接続されている。また、部屋Ｃでは、モジュラージャック３００からメタル回線８にてアナログモデム１ｃに接続され、さらにカメラ５に接続されている。アナログモデムからパソコン、カメラへは、ＬＡＮケーブル８１で接続しているが、これに限定されず、電波、赤外線等、適宜、選択できる。
【００２１】
ここで、カメラ４、あるいはカメラ５の画像のアナログデータが、アナログモデム１ｂ、あるいは１ｃを介してメタル回線８間を伝送され、アナログモデム１ａを通して、パソコンの画面に画像が表示される。即ち、従来のメタル回線にアナログモデムを配置することによって、部屋の画像によるモニタを可能としている。
【００２２】
（実施の形態２）
図２は、本発明の実施の形態２による宅内通信システム（デジタル通信の場合）の説明図である。図２に示すように、一戸建て建物２１内に、アナログ電話回線１１から遮断された、メタル回線８がある。前記メタル回線は、部屋Ａのモジュラージャック１００、部屋Ｂのモジュラージャック２００、部屋Ｃのモジュラージャック３００に接続されている。
【００２３】
ここで、部屋Ａでは、モジュラージャック１００からメタル回線にてｘＤＳＬモデム２ａに接続され、さらにパソコン９１に接続されている。また、部屋Ｂでは、モジュラージャック２００からメタル回線にてｘＤＳＬモデム２ｂに接続され、さらにパソコン９１に接続されている。また、部屋Ｃでは、モジュラージャック３００からメタル回線にてｘＤＳＬモデム２ｃに接続され、さらにカメラ５１に接続されている。
【００２４】
ここで、カメラ５１の画像のデジタルデータが、ｘＤＳＬモデム２ｃを介して、メタル回線８を伝送され、ｘＤＳＬモデム２ａを通して、パソコン９１の画面に、画像が表示され、あるいはｘＤＳＬモデム２ｂを通して、パソコン９２の画面に、画像が表示される。即ち、従来のメタル回線をｘＤＳＬモデムを配置することによって、部屋の画像によるモニタを可能としている。ｘＤＳＬモデムとパソコン、カメラ間の接続は上記アナログモデムの場合と同じである。
【００２５】
本発明の宅内通信システムは、未利用となったメタル回線を用いて一戸建ての建物での、各種画像モニタ、あるいは高齢者の介護における監視、防犯監視、その他に利用できる。また、宅内の情報ネットワークを容易に構築することが可能となる。
【図面の簡単な説明】
【００２６】
【図１】本発明の実施の形態１による宅内通信システム（アナログ）の説明図。
【図２】本発明の実施の形態２による宅内通信システム（デジタル）の説明図。
【図３】従来のアナログ電話回線の使用例の説明図。
【符号の説明】
【００２７】
１ａ，１ｂ，１ｃ    アナログモデム
２ａ，２ｂ，２ｃ    ｘＤＳＬモデム       
７ａ，７ｂ，７ｃ    電話機    
８    メタル回線
９，９１，９２    パソコン
４，５，５１    カメラ
１０，１１，１２    アナログ電話回線
１００，２００，３００    モジュラージャック
２０，２１，２２    一戸建て建物
３０    保安器
【図１】
2006340055.tif 000003
【図２】
2006340055.tif 000004
【図３】
2006340055.tif 000005